(57)【要約】【課題】外部に流れ落ちる結露水を低減できる空気調和機を提供する。【解決手段】左側板１３は、内側壁部２２と、この内側壁部２２よりも外方に位置する外側壁部２３と、内側壁部２２と外側壁部２３とを連結する連結壁部２４とを有している。内側壁部２２は、外側壁部２３よりも内方に配置されている共に、熱交換器４の左側熱交換部４ｂの前側かつ外方側の部分に接触するように配置されている。そして、連結壁部２４の下端は、外側壁部２３側よりも内側壁部２２側が下になるように設けられている。【選択図】図７
2011094867.tif 000002
【特許請求の範囲】
【請求項１】
熱交換器(４，２０４)と、
上記熱交換器(４，２０４)を覆う被覆部材(１３，２１３)と、
上記被覆部材(１３，２１３)下に配置されると共に、上記被覆部材(１３，２１３)から流れ落ちる結露水を受ける水受け部(１６)と
を備え、
上記被覆部材(１３，２１３)は、
上記熱交換器(４，２０４)に近接または接触する第１部材(２２，２２２Ａ，２２２Ｂ)と、
上記第１部材(２２，２２２Ａ，２２２Ｂ)よりも外方に配置された第２部材(２３，２２３)と、
上記第１部材(２２，２２２Ａ，２２２Ｂ)と上記第２部材(２３，２２３)とを連結する連結部(２４，２２４Ａ，２２４Ｂ)と
を有し、
上記連結部(２４，２２４Ａ，２２４Ｂ)の下端は上記第２部材(２３，２２３)側よりも上記第１部材(２２，２２２Ａ，２２２Ｂ)側が下になるように設けられていることを特徴とする空気調和機。
【請求項２】
請求項１に記載の空気調和機において、
上記被覆部材(１３，２１３)は室外ユニット(１００，２００)の側板(１３，２１３)であることを特徴とする空気調和機。
【請求項３】
請求項１または２に記載の空気調和機において、
上記被覆部材(１３，２１３)は室外ユニットの前板であることを特徴とする空気調和機。
【発明の詳細な説明】
【技術分野】
【０００１】
本発明は空気調和機に関する。
【背景技術】
【０００２】
従来、空気調和機としては、特開２００４−１１６８８７号公報に開示されているような室外ユニットを備えたものがある。
【０００３】
上記室外ユニットでは、ケーシングの一方の側板は、ケーシングの底部にネジで固定される。そして、上記側板の一端部は折り曲げられて熱交換器に取り付けられている。つまり、上記側板は、外側壁部と、この外側壁部よりもケーシング内側に位置して熱交換器に接触する内側壁部と、外側壁部と内側壁部とを連結する連結部とを有する。
【０００４】
上記連結部の下端は、外側壁部側が内側壁部側と同じ高さになるように形成されている。また、上記連結部の下端の外側壁部側の端は、上下方向においてケーシングの底部の端と重ねられる。
【０００５】
このような空気調和機では、内側壁部が熱交換器に接触するので、熱交換器の冷熱は、内側壁部およびこれに連結された連結部に伝わる。このため、結露水が内側壁部および連結部で生じ、内側壁部および連結部に沿って流れ落ちる。このとき、上記室外ユニットが水平に設置されていれば、その結露水はケーシングの底部で受けることができる。
【０００６】
しかしながら、上記室外ユニットが水平に設置されず、ケーシングの一方の側板がケーシングの他方の側板よりも低くなってしまうと、連結部の下端の外側壁部側の端から落ちる結露水は、ケーシングの底部で受けることができず、ケーシング外に流れ落ちてしまう。
【０００７】
したがって、上記従来の空気調和機には、結露水が外部に流れ落ちてしまうという問題があった。
【先行技術文献】
【特許文献】
【０００８】
【特許文献１】特開２００４−１１６８８７号公報
【発明の概要】
【発明が解決しようとする課題】
【０００９】
そこで、本発明の課題は、外部に流れ落ちる結露水を低減できる空気調和機を提供することにある。
【課題を解決するための手段】
【００１０】
上記課題を解決するため、本発明の空気調和機は、
熱交換器と、
上記熱交換器を覆う被覆部材と、
上記被覆部材下に配置されると共に、上記被覆部材から流れ落ちる結露水を受ける水受け部と
を備え、
上記被覆部材は、
上記熱交換器に近接または接触する第１部材と、
上記第１部材よりも外方に配置された第２部材と、
上記第１部材と上記第２部材とを連結する連結部と
を有し、
上記連結部の下端は上記第２部材側よりも上記第１部材側が下になるように設けられていることを特徴としている。
【００１１】
上記構成の空気調和機によれば、上記第１部材は、第２部材よりも内方に配置されて、熱交換器に近接または接触する。そして、上記第１部材と第２部材とを連結する連結部の下端は第２部材側よりも第１部材側が下になるように設けられている。これにより、上記被覆部材が傾斜しても、連結部上の結露水は連結部の下端で内方へ案内できる。
【００１２】
したがって、上記水受け部で受ける結露水を増やし、外部に流れ落ちる結露水を低減できる。
【００１３】
一実施形態の空気調和機では、
上記被覆部材は室外ユニットの側板である。
【００１４】
上記実施形態の空気調和機によれば、上記被覆部材は室外ユニットの側板であるので、室外ユニットの周囲の濡れを低減できる。
【００１５】
一実施形態の空気調和機では、
上記被覆部材は室外ユニットの前板である。
【００１６】
上記実施形態の空気調和機によれば、上記被覆部材は室外ユニットの前板であるので、室外ユニットの周囲の濡れを低減できる。
【発明の効果】
【００１７】
本発明の空気調和機によれば、熱交換器を覆う被覆部材は、熱交換器に近接または接触する第１部材と、この第１部材よりも外方に配置された第２部材と、第１部材と第２部材とを連結する連結部とを有し、この連結部の下端は第２部材側よりも第１部材側が下になるように設けられていることによって、被覆部材が傾斜しても、連結部上の結露水は連結部の下端で内方へ案内できるので、外部に流れ落ちる結露水を低減できる。
【図面の簡単な説明】
【００１８】
【図１】図１は本発明の第１実施形態の空気調和機の室外ユニットの概略前面図である。
【図２】図２は上記第１実施形態の空気調和機の室外ユニットの概略斜視図である。
【図３】図３は上記第１実施形態の空気調和機の室外ユニットの概略左側面図である。
【図４】図４は上記第１実施形態の空気調和機の室外ユニットの概略右側面図である。
【図５】図５（ａ）は左側板の概略斜視図であり、図５（ｂ）は上記左側板の他の概略斜視図である。
【図６】図６は上記第１実施形態の空気調和機の室外ユニットの概略上面図である。
【図７】図７は図６のVII−VII線矢視の概略断面図である。
【図８】図８は本発明の第２実施形態の空気調和機の室外ユニットの概略上面図である。
【図９】図９は図８のIX−IX線矢視の概略断面図である。
【発明を実施するための形態】
【００１９】
以下、本発明の空気調和機を図示の実施の形態により詳細に説明する。
【００２０】
〔第１実施形態〕
図１は、本発明の第１実施形態の空気調和機の室外ユニット１００を前面側から見た概略図である。また、図２は、上記室外ユニット１００を斜め上方から見た概略図である。なお、図２では、ケーシング１内の一部の図示を省略している。
【００２１】
上記室外ユニット１００は、図１，図２に示すように、ケーシング１内にファン２、圧縮機３および熱交換器４などを搭載している。
【００２２】
上記ケーシング１は、前板１２、左側板１３、右側板１４、天板１５および底板１６を含んでいる。この前板１２、左側板１３、右側板１４、天板１５および底板１６は、例えば金属板をプレス加工して作製される。また、図示しないが、ケーシング１の後面には単数または複数の後方吸込口を設けている。なお、左側板１３は被覆部材の一例で、底板１６は水受け部の一例である。
【００２３】
上記前板１２はファン２に対向する吹出口１７を有する。この吹出口１７には、例えば樹脂から成る格子形状のフロントグリル１８を取り付けている。そして、前板１２の両側部は、左側板１３、右側板１４の前側に重なるように後側に折り曲げられている。
【００２４】
上記天板１５の左側部，右側部は、左右方向において左側板１３，右側板１４の上端部に重ねられ、ネジで固定される。
【００２５】
上記底板１６は、熱交換器４、前板１２、左側板１３および右側板１４の下方に位置する。この底板１６は、熱交換器４からの結露水を受けるドレンパンとなるものであり、結露水を排水するための排水口１１を後側に有している。また、底板１６の周縁部は上方に立ち上がっており、前板１２、左側板１３および右側板１４の下端部はその底板１６の周縁部にネジで固定される。
【００２６】
上記熱交換器４は、上記後方吸込口に対向する後側熱交換部４ａと、複数の側方吸込口２０，２０，…に対向する左側熱交換部４ｂとを有し、上方から見た形状が略Ｌ字形状を呈する。後側熱交換部４ａおよび左側熱交換部４ｂは、それぞれ、放熱フィンと伝熱管とを含んでいる。また、熱交換器４の後側熱交換部４ａは後管板１９で支持されている。この後管板１９は底板１６に固定されている。ここで、後側熱交換部４ａとは、熱交換器４において左右方向に略平行に延びている部分に相当する。また、左側熱交換部４ｂは、熱交換器４において前後方向に略平行に延びている部分と、熱交換器４においてケーシング１のコーナ部に対向する部分とで構成されている。
【００２７】
図３は、上記室外ユニット１００を左側面側から見た概略図である。
【００２８】
上記左側板１３には、側方に開口する複数の側方吸込口２０，２０，…を有する。側方吸込口２０，２０，…は、前後方向において２列となるように配列され、左側板１３の上端部から下端部に渡って設けられている。また、側方吸込口２０，２０，…は熱交換器４の左側熱交換部４ｂに対向し、熱交換器４の左側熱交換部４ｂが側方吸込口２０，２０，…から露出する。なお、側方吸込口２０，２０，…に換えて、側方吸込口２０より大きな単数の側方吸込口にしてもよい。
【００２９】
図４は、上記室外ユニット１００を右側面側から見た概略図である。
【００３０】
上記右側板１４には着脱可能に例えば樹脂製の配管カバー２１がネジで取り付けられている。右側板１４から配管カバー２１を取り外すと、配管などのメンテナンス対象部が露出する。
【００３１】
図５（ａ）は、上記左側板１３を外面側から見た概略斜視図である。また、図５（ｂ）は、左側板１３を内面側から見た概略斜視図である。
【００３２】
上記左側板１３は、内側壁部２２と、この内側壁部２２よりも外方に位置する外側壁部２３と、内側壁部２２と外側壁部２３とを連結する連結壁部２４とを有している。内側壁部２２は前板１２側に設けられており、外側壁部２３の後端部（前板１２側とは反対側の端部）は屈曲している。また、外側壁部２３の下端部には、側方係合部２５および後方係合部２６が設けられている。この側方係合部２５および後方係合部２６は、底板１６の周縁部に係合する。なお、内側壁部２２は第１部材の一例で、外側壁部２３は第２部材の一例で、連結壁部２４は連結部の一例である。
【００３３】
図６は、図２の室外ユニット１００を上方から見た概略図である。なお、図６では、ファン２、圧縮機３、前板１２、右側板１４および天板１５などの図示を省略している。
【００３４】
上記熱交換器４は、矢印Ａ，Ｂの通風方向において、伝熱管が２列並んだ２列熱交換器である。ファン２が回転駆動すると、外気が、矢印Ａ，Ｂの方向に流れて、上記後方吸込口と複数の側方吸込口２０，２０，…とからケーシング１内に流入する。このとき、矢印Ａ方向の外気は、上記後方吸込口を通過した後、熱交換器４の後側熱交換部４ａと熱交換する。一方、矢印Ｂ方向の外気は、複数の側方吸込口２０，２０，…を通過した後、熱交換器４の左側熱交換部４ｂと熱交換する。
【００３５】
上記内側壁部２２は、熱交換器４の左側熱交換部４ｂの前側かつ外方側の部分に接触するように配置されている。
【００３６】
上記外側壁部２３は、熱交換器４の左側熱交換部４ｂに接触しないように配置されている。外側壁部２３の上端部は、熱交換器４の左側熱交換部４ｂの前側かつ外方側の部分に対して上下方向において重なるように設けられているが、外側壁部２３の上端部と熱交換器４の左側熱交換部４ｂとの間には隙間がある。
【００３７】
図７は、図６のVII−VII線から見た概略断面図である。
【００３８】
上記連結壁部２４の下端は、外側壁部２３側よりも内側壁部２２側が下になるように設けられている。より詳しくは、連結壁部２４の下端は、水平面に対して９°〜１３°（例えば１１°）の角度で傾斜している。また、連結壁部２４の下端において、外側壁部２３側の端は底板１６の周縁部上に位置する一方、内側壁部２２側の端は底板１６の周縁部よりも内方に位置する。
【００３９】
上記熱交換器４の左側熱交換部４ｂは前管板２７に支持されている。この前管板２７は、後管板１９と同様に、底板１６に固定されている。
【００４０】
上記構成の空気調和機によれば、左側板１３の内側壁部２２は、熱交換器４の左側熱交換部４ｂの前側かつ外方側の部分に接触するように配置されている。このため、左側熱交換部４ｂの冷熱が内側壁部２２を介して連結壁部２４に伝わって、連結壁部２４が冷却される。そうすると、連結壁部２４で生じた結露水は連結壁部２４に沿って流れ落ちる。このとき、連結壁部２４の下端は外側壁部２３側よりも内側壁部２２側が下になるように設けられているので、室外ユニット１００の左右方向の水平が取れていなくても、その結露水を連結壁部２４の下端に沿って内方へ案内することができる。
【００４１】
したがって、上記底板１６で受ける結露水を増やし、底板１６外に流れ落ちる結露水を低減できる。
【００４２】
また、上記底板１６外に流れ落ちる結露水を低減できるので、室外ユニット１００の周囲の濡れを低減できる。
【００４３】
上記第１実施形態において、熱交換器４の左側熱交換部４ｂの前側かつ外方側の部分に接触する内側壁部２２に換えて、熱交換器４の左側熱交換部４ｂの前側かつ外方側の部分に近接する内側壁部を用いてもよい。この内側壁部は熱交換器４の左側熱交換部４ｂの前側かつ外方側の部分との間に隙間を有するが、上記内側壁部の位置は熱交換器４の左側熱交換部４ｂで冷却される程度の位置となる。
【００４４】
上記第１実施形態において、熱交換器４の左側熱交換部４ｂの前側かつ外方側の部分と内側壁部２２とを他の部材で接続するようにしてもよい。つまり、熱交換器４の左側熱交換部４ｂの冷熱がその他の部材を介して内側壁部２２に伝わるようにしてもよい。
【００４５】
上記第１実施形態において、前板１２に換えて、内側壁部２２、外側壁部２３および連結壁部２４と同様の構成部を有する前板を用いてもよい。
【００４６】
上記第１実施形態において、金属製の左側板１３に換えて、例えば樹脂製の左側板を用いてもよい。
【００４７】
上記第１実施形態では、外側壁部２３を、熱交換器４の左側熱交換部４ｂに接触しないように配置していたが、熱交換器４の左側熱交換部４ｂに近接または接触するように配置してもよい。ここで、外側壁部２３を、熱交換器４の左側熱交換部４ｂに近接するように配置する場合、外側壁部２３と熱交換器４の左側熱交換部４ｂとの間に隙間を設けるが、外側壁部２３の位置は熱交換器４の左側熱交換部４ｂで冷却される程度の位置とする。
【００４８】
〔第２実施形態〕
図８は、本発明の第２実施形態の空気調和機の室外ユニット２００を上方から見た概略図である。また、図８では、上記第１実施形態の構成部と同一構成部は上記第１実施形態における構成部と同一参照番号を付している。
【００４９】
上記室外ユニット２００は、ケーシング２０１と、このケーシング２０１内に配置されたいわゆる１．５列の熱交換器２０４とを備えている点が、上記第１実施形態の室外ユニット１００とは異なる。
【００５０】
上記熱交換器２０４は、後側熱交換部２０４ａと左側熱交換部２０４ｂとを有し、上方から見た形状が略Ｌ字形状を呈する。
【００５１】
上記後側熱交換部２０４ａは、ケーシング２０１の後面に設けられた単数または複数の後方吸込口に対向する。後側熱交換部２０４ａでは前後方向において伝熱管が２本並んでいる。この後側熱交換部２０４ａは、熱交換器２０４において左右方向に略平行に延びている部分に相当する。
【００５２】
上記左側熱交換部２０４ｂは、左側板２１３に設けられた複数の側方吸込口（図示せず）に対向する。また、左側熱交換部２０４ｂは、熱交換器２０４において前後方向に略平行に延びている部分と、熱交換器２０４においてケーシング２０１のコーナ部に対向する部分とで構成されている。この左側熱交換部２０４ｂでは左右方向において伝熱管が１本並んでいる。なお、左側板２１３は被覆部材の一例である。
【００５３】
上記左側板２１３は、第１内側壁部２２２Ａと、第２内側壁部２２２Ｂと、第１内側壁部２２２Ａおよび第２内側壁部２２２Ｂよりも外方に位置する外側壁部２２３と、第１内側壁部２２２Ａと外側壁部２２３とを連結する第１連結壁部２２４Ａと、第２内側壁部２２２Ｂと外側壁部２２３とを連結する第２連結壁部２２４Ｂとを有している。なお、第１内側壁部２２２Ａ、第２内側壁部２２２Ｂは第１部材の一例で、外側壁部２２３は第２部材の一例で、第１連結壁部２２４Ａ、第２連結壁部２２４Ｂは連結部の一例である。
【００５４】
上記第１内側壁部２２２Ａは、熱交換器２０４の左側熱交換部２０４ｂの前側かつ外方側の部分に接触するように配置されている。
【００５５】
上記第２内側壁部２２２Ｂは、熱交換器２０４の後側熱交換部２０４ａの左側かつ外方側の部分に接触するように配置されている。
【００５６】
上記外側壁部２２３は、熱交換器２０４の左側熱交換部２０４ｂに接触しないように配置されている。外側壁部２２３の上端部は、熱交換器２０４の左側熱交換部２０４ｂの前側かつ外方側の部分に対して上下方向において重なるように設けられているが、外側壁部２２３の上端部と熱交換器２０４の左側熱交換部２０４ｂとの間には隙間がある。
【００５７】
また、図示しないが、上記第１連結壁部２２４Ａの下端は、上記第１実施形態の連結壁部２４の下端と同様に、外側壁部２２３側よりも第１内側壁部２２２Ａ側が下になるように設けられている。また、第１連結壁部２２４Ａの下端は、水平面に対して９°〜１３°（例えば１１°）の角度で傾斜している。また、第１連結壁部２２４Ａの下端において、外側壁部２２３側の端は底板１６の周縁部上に位置する一方、第１内側壁部２２２Ａ側の端は底板１６の周縁部よりも内方に位置する。
【００５８】
図９は、図８のIX−IX線から見た概略断面図である。
【００５９】
上記第２連結壁部２２４Ｂの下端は、外側壁部２２３側よりも第２内側壁部２２２Ｂ側が下になるように設けられている。より詳しくは、第２連結壁部２２４Ｂの下端は、水平面に対して２４°〜２８°（例えば２６°）の角度で傾斜している。また、第２連結壁部２２４Ｂの下端において、外側壁部２２３側の端は底板１６の周縁部上に位置する一方、第２内側壁部２２２Ｂ側の端は底板１６の周縁部よりも内方に位置する。
【００６０】
上記熱交換器２０４の左側熱交換部２０４ｂは後管板１９，２１９に支持されている。この後管板１９，２１９は底板１６に固定されている。
【００６１】
上記構成の空気調和機によれば、第１連結壁部２２４Ａの下端は外側壁部２２３側よりも第１内側壁部２２２Ａ側が下になるように設けられているので、室外ユニット２００の左右方向の水平が取れていなくても、第１連結壁部２２４Ａ上の結露水を連結壁部２４の下端に沿って内方へ案内することができる。
【００６２】
さらに、上記第２連結壁部２２４Ｂの下端も外側壁部２２３側よりも第２内側壁部２２２Ｂ側が下になるように設けられているので、室外ユニット２００の前後方向の水平が取れていなくても、第２連結壁部２２４Ｂ上の結露水を第２連結壁部２２４Ｂの下端に沿って内方へ案内することができる
したがって、上記底板１６で受ける結露水を増やし、底板１６外に流れ落ちる結露水を大きく低減できる。
【００６３】
また、上記底板１６外に流れ落ちる結露水を大きく低減できるので、室外ユニット２００の周囲の濡れを大きく低減できる。
【００６４】
上記第２実施形態において、熱交換器２０４の左側熱交換部２０４ｂの前側かつ外方側の部分に接触する第１内側壁部２２２Ａに換えて、熱交換器２０４の左側熱交換部２０４ｂの前側かつ外方側の部分に近接する第１内側壁部を用いてもよい。この第１内側壁部は、熱交換器２０４の左側熱交換部２０４ｂの前側かつ外方側の部分との間に隙間を有するが、熱交換器２０４の左側熱交換部２０４ｂで冷却される程度の位置にある。
【００６５】
上記第２実施形態において、熱交換器２０４の左側熱交換部２０４ｂの前側かつ外方側の部分と第１内側壁部２２２Ａとを他の部材で接続するようにしてもよい。つまり、熱交換器２０４の左側熱交換部２０４ｂの冷熱がその他の部材を介して第１内側壁部２２２Ａに伝わるようにしてもよい。
【００６６】
上記第２実施形態において、熱交換器２０４の後側熱交換部２０４ａの左側かつ外方側の部分に接触する第２内側壁部２２２Ｂに換えて、熱交換器２０４の後側熱交換部２０４ａの左側かつ外方側の部分に近接する第２内側壁部を用いてもよい。この第２内側壁部は熱交換器２０４の後側熱交換部２０４ａの左側かつ外方側の部分との間に隙間を有するが、上記第２内側壁部の位置は熱交換器２０４の後側熱交換部２０４ａで冷却される程度の位置となる。
【００６７】
上記第２実施形態において、熱交換器２０４の後側熱交換部２０４ａの左側かつ外方側の部分と第２内側壁部２２２Ｂとを他の部材で接続するようにしてもよい。つまり、熱交換器２０４の後側熱交換部２０４ａの冷熱がその他の部材を介して第２内側壁部２２２Ｂに伝わるようにしてもよい。
【００６８】
上記第２実施形態において、前板１２に換えて、第１内側壁部２２２Ａ、第２内側壁部２２２Ｂ、外側壁部２３、第１連結壁部２２４Ａおよび第２連結壁部と同様の構成部を有する前板を用いてもよい。
【００６９】
上記第２実施形態において、金属製の左側板２１３に換えて、例えば樹脂製の左側板を用いてもよい。
【００７０】
上記第２実施形態では、外側壁部２２３を、熱交換器２０４の左側熱交換部２０４ｂに接触しないように配置していたが、熱交換器２０４の左側熱交換部２０４ｂに近接または接触するように配置してもよい。ここで、外側壁部２２３を、熱交換器２０４の左側熱交換部２０４ｂに近接するように配置する場合、外側壁部２２３と熱交換器２０４の左側熱交換部２０４ｂとの間に隙間を設けるが、外側壁部２２３の位置は熱交換器２０４の左側熱交換部２０４ｂで冷却される程度の位置とする。
【００７１】
上記第１，第２実施形態の室外ユニット１００，２００は、ヒートポンプ式の室外ユニットであってもよい。
【００７２】
本発明は、空気調和機の室外ユニット以外にも適用することができる。例えば、本発明を空気調和機の室内ユニットに適用してもよい。
【符号の説明】
【００７３】
４，２０４  熱交換器
１３，２１３  左側板
１６  底板
２２  内側壁部
２３，２２３  外側壁部
２４  連結壁部
１００，２００  室外ユニット
２２２Ａ  第１内側壁部
２２４Ａ  第１連結壁部
２２２Ｂ  第２内側壁部
２２４Ｂ  第２連結壁部
【図１】
2011094867.tif 000003
【図２】
2011094867.tif 000004
【図３】
2011094867.tif 000005
【図４】
2011094867.tif 000006
【図５】
2011094867.tif 000007
【図６】
2011094867.tif 000008
【図７】
2011094867.tif 000009
【図８】
2011094867.tif 000010
【図９】
2011094867.tif 000011